(57)【特許請求の範囲】
【請求項１】
管状ガラスランプ容器の両端部の外面それぞれに誘電体バリア放電型電極を有する低圧放電ランプにおいて、
前記誘電体バリア放電型電極それぞれは、前記管状ガラスランプ容器の端部外面に貼付した、裏面側にシリコン樹脂系、フッ素樹脂系、ポリイミド樹脂系あるいはエポキシ樹脂系の粘着剤の中に導電性物質粒子を混入した導電性粘着剤を付着させた金属テープと、この金属テープの外面側に取着した短円筒型の金属部材と、この金属部材の一部に設けた、機器等へ固定するための手段を有する支持具とで構成されていることを特徴とする低圧放電ランプ。
【発明の詳細な説明】
【０００１】
【発明の属する技術分野】
本発明は誘電体バリア放電型電極を有する低圧放電ランプに関する。
【０００２】
【従来の技術】
管状ガラスランプ容器の外表面に電極を備える、いわゆる誘電体バリア放電型電極を有する低圧放電ランプとして、例えば実開昭６１−１２６５５９号公報に記載されたものが知られている。この従来の低圧放電ランプは、図７及び図８に示す構成である。図において、１４は低圧放電ランプ、２０は両端が封止された管状ガラスランプ容器であり、この管状ガラスランプ容器２０の内部に希ガスもしくは水銀と希ガスの混合ガス等のイオン化可能な充填剤５０が封入されている。管状ガラスランプ容器２０の内壁面には、必要に応じて蛍光体層６０等が形成される。管状ガラスランプ容器２０の両端部外面には電極３１２，４１２が設置されている。
【０００３】
電極３１２，４１２は金属テープ３１３，４１３から成り、金属テープ３１３，４１３の内表面の接着剤３１４，４１４によって管状ガラスランプ容器２０の外面に取着固定されている。これらの電極３１２，４１２には、透孔３３，４３を有する支持具３２，４２が設けられていて、この支持具３２，４２をネジ止めすることによって機器に放電ランプ１４の全体を固定するようになっている。
【０００４】
このような構造の従来の低圧放電ランプは、機器への取り付けが容易であるという長所がある。
【０００５】
【特許文献１】
実開昭６１−１２６５５９号公報
【０００６】
【発明が解決しようとする課題】
しかしながら、従来の低圧放電ランプでは、電極がランプ容器に対して接着剤を用いて固定されるため、電極となる金属テープが一度ランプ容器に貼り付けられた後は、電極の位置調整やネジ止め時に利用する支持具の透孔の微妙な位置調整が困難であり、金属テープの貼り付けに際してきわめて高い精度が要求されるという問題点があった。
【０００７】
本発明はこのような従来の技術的課題に鑑みてなされたもので、機器への取り付け時における電極及び支持具の位置調整を容易に行うことができると共に、機器に固定した際に破損しにくい低圧放電ランプを提供することを目的とする。
【０００８】
【課題を解決するための手段】
請求項１の発明は、管状ガラスランプ容器の両端部の外面それぞれに誘電体バリア放電型電極を有する低圧放電ランプにおいて、前記誘電体バリア放電型電極それぞれは、前記管状ガラスランプ容器の端部外面に貼付した、裏面側にシリコン樹脂系、フッ素樹脂系、ポリイミド樹脂系あるいはエポキシ樹脂系の粘着剤の中に導電性物質粒子を混入した導電性粘着剤を付着させた金属テープと、この金属テープの外面側に取着した短円筒型の金属部材と、この金属部材の一部に設けた、機器等へ固定するための手段を有する支持具とで構成されていることを特徴とするものである。
【００１３】
【発明の実施の形態】
以下、本発明の実施の形態を図に基づいて詳説する。図１及び図２は、本発明の第１の実施の形態の低圧放電ランプを示している。本実施の形態の低圧放電ランプ１１では、電極３０，４０にバネ性を持つ金属部材３１，４１を用いていて、管状ガラスランプ容器２０の長手方向の両端部の外周それぞれにほぼ嵌め込める形状に湾曲させ、一端から支持具３２，４２を延出させてある。この支持具３２，４２それぞれにはネジ止めのための透孔３３，４３が設けてある。なお、図１及び図２において、その他の構成については、従来例と共通する部材に共通の符号を付して示してある。
【００１４】
金属部材３１，４１のバネ性は、ランプ容器２０に嵌め込んで固定位置を回転調整するのに必要な角度分、例えば１〜３°程度だけランプ容器２０の円周方向に回動し、またランプ容器２０の長手方向に対する固定位置を調整するのに必要な寸法分、例えば、０．１〜１ｍｍ程度だけ動くことができるように調整されている。
【００１５】
これにより、本実施の形態の低圧放電ランプ１１を照明機器の固定部に取り付けるために位置決めし、支持具３２，４２の透孔３３，４３を利用してネジ止めする際に放電ランプ１１の位置の微調整が無理な力を加えなくても行える。
【００１６】
なお、前述の放電ランプの回動角度が１°より小さいと、ほとんど回動不能と同じで効果が現れず、好ましくない。また、長さ方向の偏位が０．１ｍｍより小さいとほとんど偏位不能と同じで効果が出ず、好ましくない。また回動許容角度が３°を超えたり、許容偏位が１ｍｍを超えるようであれば、放電ランプ１１の安定した支持ができないので、好ましくない。
【００１７】
次に、本発明の第２の実施の形態の低圧放電ランプについて、図３及び図４を用いて説明する。第２の実施の形態の低圧放電ランプ１２は、電極３４，４４に円管状の金属部材３５，４５を用い、この金属部材３５，４５と管状ガラスランプ容器２０との間に可塑性を有する導電性樹脂３６，４６を介在させたことを特徴とする。その他の構成は、第１の実施の形態と同様である。
【００１８】
導電性樹脂３６，４６には銀ペーストを用いたり、安価なものであればアクリル樹脂系粘着剤に炭素微粒子や金属微粒子のような導電性物質粒子を混入したもの、また長寿命が必要である場合には、シリコン樹脂系、フッ素樹脂系、ポリイミド樹脂系あるいはエポキシ樹脂系の粘着剤の中に導電性物質粒子として、鉄、ニッケル、銀、カーボンの中から得らればれた１又は複数の微粒子を混入したもの、さらには導電性ゴムを用いることができる。
【００１９】
この導電性樹脂３６，４６を金属部材３５，４５とランプ容器２０の外周面との間に介在させることにより、金属部材３５，４５はランプ容器２０に嵌め込んで固定位置を回転調整するのに必要な角度分、例えば１〜３°程度だけランプ容器２０の円周方向に回動し、またランプ容器２０の長手方向に対する固定位置を調整するのに必要な寸法分、例えば、０．１〜１ｍｍ程度だけ動くことができるように調整されている。
【００２０】
この第２の実施の形態の低圧放電ランプ１２にあっても、第１の実施の形態と同様に、本実施の形態の低圧放電ランプ１２を照明機器の固定部に取り付けるために位置決めし、支持具３２，４２の透孔３３，４３を利用してネジ止めする際に放電ランプ１２の位置の微調整が無理な力を加えなくても行える。
【００２１】
次に、本発明の第３の実施の形態の低圧放電ランプについて、図５及び図６を用いて説明する。第３の実施の形態の低圧放電ランプ１３は、電極３７，４７に円管状の金属部材３８，４８を用い、この金属部材３８，４８と管状ガラスランプ容器２０との間に、裏面側に導電性粘着剤３９，４９を付着させた金属テープ３１０，４１０を貼付している。これらの電極３７，４７には、透孔３３，４３を有する支持具３２，４２が設けられていて、この支持具３２，４２をネジ止めすることによって機器に放電ランプ１３の全体を固定するようになっている。なお、その他の構成は、図１及び図２に示した第１の実施の形態と同様である。
【００２２】
導電性粘着材３９，４９にはシリコン樹脂系、フッ素樹脂系、ポリイミド樹脂系あるいはエポキシ樹脂系の粘着剤の中に導電性物質粒子として、鉄、ニッケル、銀、カーボンの中から得らればれた１又は複数の微粒子を混入したものを用いることができる。
【００２３】
このような構造の金属テープ３１０，４１０を金属部材３８，４８とランプ容器２０の外周面との間に介在させることにより、金属部材３８，４８はランプ容器２０に嵌め込んで固定位置を回転調整するのに必要な角度分、例えば１〜３°程度だけランプ容器２０の円周方向に回動し、またランプ容器２０の長手方向に対する固定位置を調整するのに必要な寸法分、例えば、０．１〜１ｍｍ程度だけ動くことができる。
【００２４】
この第３の実施の形態の低圧放電ランプ１３にあっても、第１の実施の形態と同様に、本実施の形態の低圧放電ランプ１３を照明機器の固定部に取り付けるために位置決めし、支持具３２，４２の透孔３３，４３を利用してネジ止めする際に放電ランプ１３の位置の微調整が無理な力を加えなくても行える。
【００２５】
【発明の効果】
以上のように本発明の低圧放電ランプによれば、機器への取り付け時に電極及び支持具の位置調整を容易に行うことができ、また機器の所定位置に固定する際に無理な力が加わって破損するのを防止できる。
【図面の簡単な説明】
【図１】本発明の第１の実施の形態の軸方向断面図。
【図２】上記の第１の実施の形態の軸方向に垂直な方向の断面図。
【図３】本発明の第２の実施の形態の軸方向断面図。
【図４】上記の第２の実施の形態の軸方向に垂直な方向の断面図。
【図５】本発明の第３の実施の形態の軸方向断面図。
【図６】上記の第３の実施の形態の軸方向に垂直な方向の断面図。
【図７】従来例の軸方向断面図。
【図８】従来例の軸方向に垂直な方向の断面図。
【符号の説明】
１１，１２，１３  低圧放電ランプ
２０  管状ガラスランプ容器
３０，３４，３７  電極
３１，３５，３８  金属部材
３２  支持具
３３  透孔
３６  導電性樹脂
３９  導電性粘着剤
３１０  金属テープ
４０，４４，４７  電極
４１，４５，４８  金属部材
４２  支持具
４３  透孔
４６  導電性樹脂
４９  導電性粘着剤
４１０  金属テープ
５０  充填材
６０  蛍光体層
【図１】
0003927107.tif 000002
【図２】
0003927107.tif 000003
【図３】
0003927107.tif 000004
【図４】
0003927107.tif 000005
【図５】
0003927107.tif 000006
【図６】
0003927107.tif 000007
【図７】
0003927107.tif 000008
【図８】
0003927107.tif 000009